(57)【特許請求の範囲】
【請求項１】
電話機能を有するかまたは携帯電話機に接続可能な携帯端末装置であって、
少なくともプリンタ機能を有するプリンタ/スキャナ装置に接続されて情報交換を行うプリンタ/スキャナ装置接続手段と、
通信情報を受信する通信情報受信手段と、
受信した通信情報を保存する通信情報保存手段と、
保存した通信情報の一覧を表示する通信情報一覧表示手段と、
保存した通信情報から印刷する通信情報を選択可能な通信情報選択手段と、
選択した通信情報の印刷時の印刷モードを設定する印刷モード設定手段と、
選択した通信情報を印刷可能な形態に変換する通信情報変換手段と、
接続されたプリンタ/スキャナ装置に対して印刷の指示を行う指示手段と、
指示手段からの指示による印刷の完了後にプリンタ/スキャナ装置において作成されて転送されてきたプリンタ/スキャナ装置の使用に対する課金情報を電話会社へ転送する課金情報転送手段と
を備えていることを特徴とする携帯端末装置。
【請求項２】
電話機能を有するかまたは携帯電話機に接続可能な携帯端末装置であって、
少なくともスキャナ機能を有するプリンタ/スキャナ装置に接続されて情報交換を行うプリンタ/スキャナ装置接続手段と、
プリンタ/スキャナ装置から入力した画像情報を受信する画像情報受信手段と、
受信した画像情報を保存する画像情報保存手段と、
保存した画像情報を通信情報として送信する通信情報送信手段と、
接続されたプリンタ/スキャナ装置に対して画像読み取りの指示を行う指示手段と、
指示手段からの指示による画像読み取り後の画像情報送信の完了後にプリンタ/スキャナ装置において作成されて転送されてきたプリンタ/スキャナ装置の使用に対する課金情報を電話会社へ転送する課金情報転送手段と
を備えていることを特徴とする携帯端末装置。
【請求項３】
電話機能を有するかまたは携帯電話機に接続可能な携帯端末装置であって、
プリンタ機能およびスキャナ機能のうちの少なくともいずれか一方を有するプリンタ/スキャナ装置に接続されて情報交換を行うプリンタ/スキャナ装置接続手段と、
通信情報を受信する通信情報受信手段と、
受信した通信情報を保存する通信情報保存手段と、
保存した通信情報の一覧を表示する通信情報一覧表示手段と、
保存した通信情報から印刷する通信情報を選択可能な通信情報選択手段と、
選択した通信情報の印刷時の印刷モードを設定する印刷モード設定手段と、
選択した通信情報を印刷可能な形態に変換する通信情報変換手段と、
プリンタ/スキャナ装置から入力した画像情報を受信する画像情報受信手段と、
受信した画像情報を保存する画像情報保存手段と、
保存した画像情報を通信情報として送信する通信情報送信手段と、
接続されたプリンタ/スキャナ装置に対して印刷および画像読み取りの指示を行う指示手段と、
指示手段からの指示による印刷および画像読み取り後の画像情報送信の完了後にプリンタ/スキャナ装置において作成されて転送されてきたプリンタ/スキャナ装置の使用に対する課金情報を電話会社へ転送する課金情報転送手段と
を備えていることを特徴とする携帯端末装置。
【請求項４】
請求項１の携帯端末装置と、プリンタ機能およびスキャナ機能のうちの少なくともプリンタ機能を有し、前記携帯端末装置に接続可能なプリンタ/スキャナ装置とからなるプリンタ/スキャナシステムであって、
前記プリンタ/スキャナ装置が、
前記携帯端末装置に接続されて情報交換を行う携帯端末装置接続手段と、
前記携帯端末装置内部に記憶された印刷用データを前記携帯端末装置接続手段を介して取得する機能を有する印刷用データ取得手段と、
前記印刷用データ取得手段により取得した印刷用データを印刷する印刷手段と、
用紙サイズ別印刷枚数をカウントする計数手段と、
カウントした用紙サイズ別印刷枚数情報を含む印刷ログ情報を転送する印刷ログ情報転送手段と
を備えていることを特徴とするプリンタ/スキャナシステム。
【請求項５】
請求項４のプリンタ/スキャナシステムにおいて、
前記印刷ログ情報転送手段が、前記印刷ログ情報をネットワーク上の集計サーバに転送することを特徴とするプリンタ/スキャナシステム。
【請求項６】
請求項４のプリンタ/スキャナシステムにおいて、
前記印刷ログ情報転送手段が、前記印刷ログ情報を前記携帯端末装置に転送することを特徴とするプリンタ/スキャナシステム。
【請求項７】
請求項２の携帯端末装置と、プリンタ機能およびスキャナ機能のうちの少なくともスキャナ機能を有し、前記携帯端末装置に接続可能なプリンタ/スキャナ装置とからなるプリンタ/スキャナシステムであって、
前記プリンタ/スキャナ装置が、
前記携帯端末装置に接続されて情報交換を行う携帯端末装置接続手段と、
読み取った画像情報を前記携帯端末装置へ転送する画像情報転送手段と、
用紙サイズ別読み取り枚数をカウントする計数手段と、
カウントした用紙サイズ別枚数情報を含むスキャンログ情報を転送するスキャンログ情報転送手段と
を備えていることを特徴とするプリンタ/スキャナシステム。
【請求項８】
請求項７のプリンタ/スキャナシステムにおいて、
前記スキャンログ情報転送手段が、前記スキャンログ情報をネットワーク上の集計サーバに転送することを特徴とするプリンタ/スキャナシステム。
【請求項９】
請求項７のプリンタ/スキャナシステムにおいて、
前記スキャンログ情報転送手段が、前記スキャンログ情報を前記携帯端末装置に転送することを特徴とするプリンタ/スキャナシステム。
【請求項１０】
請求項３の携帯端末装置と、プリンタ機能およびスキャナ機能を有し、前記携帯端末装置に接続可能なプリンタ/スキャナ装置とからなるプリンタ/スキャナシステムであって、
前記プリンタ/スキャナ装置が、
前記携帯端末装置に接続されて情報交換を行う携帯端末装置接続手段と、
前記携帯端末装置内部に記憶された印刷用データを前記携帯端末装置接続手段を介して取得する機能を有する印刷用データ取得手段と、
前記印刷用データ取得手段により取得した印刷用データを印刷する印刷手段と、
用紙サイズ別印刷枚数をカウントする計数手段と、
カウントした用紙サイズ別印刷枚数情報を含む印刷ログ情報を転送する印刷ログ情報転送手段と、
読み取った画像情報を前記携帯端末装置へ転送する画像情報転送手段と、
用紙サイズ別読み取り枚数をカウントする計数手段と、
カウントした用紙サイズ別読み取り枚数情報を含むスキャンログ情報を転送するスキャンログ情報転送手段と
を備えていることを特徴とするプリンタ/スキャナシステム。
【請求項１１】
請求項１０のプリンタ/スキャナシステムにおいて、
前記印刷ログ情報転送手段およびスキャンログ情報転送手段が、それぞれ、印刷ログ情報およびスキャンログ情報をネットワーク上の集計サーバに転送することを特徴とするプリンタ/スキャナシステム。
【請求項１２】
請求項１０のプリンタ/スキャナシステムにおいて、
前記印刷ログ情報転送手段およびスキャンログ情報転送手段が、それぞれ、印刷ログ情報およびスキャンログ情報を前記携帯端末装置に転送することを特徴とするプリンタ/スキャナシステム。
【発明の詳細な説明】
【０００１】
【発明の属する技術分野】
本発明は、携帯端末装置およびプリンタ/スキャナシステムに関する。さらに詳しくは、携帯電話機等の携帯端末装置、および携帯端末装置と携帯端末装置に保存された通信情報を印刷したり紙等に記録された画像情報を読み取って携帯端末装置に転送するプリンタ/スキャナ装置を組み合わせたプリンタ/スキャナシステムに関するものである。
【０００２】
【従来の技術】
近年、ＮＴＴドコモのｉモードに代表されるように、携帯電話機の情報端末化が進んでおり、情報化社会の中で携帯電話機は不可欠になってきた。
【０００３】
一方、電話機能を有するＰＤＡ（Personal Digital Assistants：携帯情報端末）や通常の携帯電話機に接続可能なＰＤＡの高性能化が進んでいる。
【０００４】
【発明が解決しようとする課題】
上記のような携帯電話機では、ＦＡＸ（ファクシミリ）や電子メール等の情報伝達、決済処理等が行われるが、携帯電話機は表示部が小さいこと等から、受信した通信情報の内容を把握するのが困難である。また、携帯電話機では、自身で入力した通信情報をＦＡＸや電子メールで送信することはできるが、紙等に記録された画像情報を送信することはできない。
【０００５】
また、上記のようなＰＤＡにおいても、ＦＡＸ、電子メール、Ｉ-ＦＡＸ（インターネットＦＡＸ）等による通信情報の送受信ができるが、上記と同様の問題がある。
【０００６】
本発明の目的は、上記の問題を解決し、携帯端末装置で受信した通信情報をプリントしたり、紙等に記録された画像情報を読み取って携帯端末装置から送信したりすること、およびプリンタ/スキャナ装置の使用料金の支払いの簡便化を可能にする携帯端末装置およびプリンタ/スキャナシステムを提供することにある。
【０００７】
【課題を解決するための手段および発明の効果】
本発明による第１の携帯端末装置は、電話機能を有するかまたは携帯電話機に接続可能な携帯端末装置であって、少なくともプリンタ機能を有するプリンタ/スキャナ装置に接続されて情報交換を行うプリンタ/スキャナ装置接続手段と、通信情報を受信する通信情報受信手段と、受信した通信情報を保存する通信情報保存手段と、保存した通信情報の一覧を表示する通信情報一覧表示手段と、保存した通信情報から印刷する通信情報を選択可能な通信情報選択手段と、選択した通信情報の印刷時の印刷モードを設定する印刷モード設定手段と、選択した通信情報を印刷可能な形態に変換する通信情報変換手段と、接続されたプリンタ/スキャナ装置に対して印刷の指示を行う指示手段と、指示手段からの指示による印刷の完了後にプリンタ/スキャナ装置において作成されて転送されてきたプリンタ/スキャナ装置の使用に対する課金情報を電話会社へ転送する課金情報転送手段とを備えていることを特徴とするものである。
【０００８】
電話機能を有する携帯端末装置には、たとえば、ＰＨＳを含む携帯電話機、電話機能を内蔵したＰＤＡ等が含まれる。また、携帯電話機に接続可能な携帯端末装置には、たとえば、ＰＤＡ等が含まれる。
【０００９】
プリンタ/スキャナ装置は、たとえば、コンビニエンス・ストア（以下「コンビニ」と略す）等に設置される。
【００１０】
プリンタ/スキャナ装置接続手段は、ケーブルまたは無線によってプリンタ/スキャナ装置に接続される。無線による接続には、たとえば、赤外線、Bluetooth等を用いたものがある。
【００１１】
通信情報には、たとえば、文書情報、画像情報等が含まれる。また、通信情報は、たとえば、ＦＡＸ、添付ファイルを含む電子メール、Ｉ-ＦＡＸ等の適宜の通信手段により送信され、通信情報受信手段によって受信される。
【００１２】
本発明による第１の携帯端末装置において、選択した通信情報は、プリンタ/スキャナ接続手段を介してプリンタ/スキャナ装置に転送され、紙等にプリントされる。そして、電話会社は、携帯端末装置から転送された課金情報に基づいて、コンビニ等のプリンタ/スキャナ装置の所有者に対し、プリンタ/スキャナ装置の使用料金を支払い、携帯端末装置の使用者に対し、プリンタ/スキャナ装置の使用料金を通話料金等に加算して請求する。
【００１３】
したがって、本発明の第１の携帯端末装置によれば、受信した通信情報を紙等に印刷して、その内容を容易に確認することが可能になる。
【００１６】
また、携帯端末装置の使用者は、プリンタ/スキャナ装置を使用するたびに使用料金を支払う必要がなく、電話会社に対して通話料金等と一緒に一括して支払うことができ、便利である。
【００１７】
本発明による第２の携帯端末装置は、電話機能を有するかまたは携帯電話機に接続可能な携帯端末装置であって、少なくともスキャナ機能を有するプリンタ/スキャナ装置に接続されて情報交換を行うプリンタ/スキャナ装置接続手段と、プリンタ/スキャナ装置から入力した画像情報を受信する画像情報受信手段と、受信した画像情報を保存する画像情報保存手段と、保存した画像情報を通信情報として送信する通信情報送信手段と、接続されたプリンタ/スキャナ装置に対して画像読み取りの指示を行う指示手段と、指示手段からの指示による画像読み取り後の画像情報送信の完了後にプリンタ/スキャナ装置において作成されて転送されてきたプリンタ/スキャナ装置の使用に対する課金情報を電話会社へ転送する課金情報転送手段とを備えていることを特徴とするものである。
【００１８】
通信情報送信手段は、画像情報を、ＦＡＸ、添付ファイルを含む電子メール，Ｉ-ＦＡＸ、ＦＴＰ（File Transfer Protocol）等の適宜の通信手段により送信する。
【００１９】
本発明による第２の携帯端末装置において、プリンタ/スキャナ装置で読み取られた画像情報は、プリンタ/スキャナ装置接続手段を介して携帯端末装置に入力し、通信情報送信手段によって送信される。
【００２０】
したがって、本発明の第２の携帯端末装置によれば、紙等に記録された画像情報を読み取って携帯端末装置から送信することが可能になる。
【００２２】
また、前記同様、携帯端末装置の使用者は、プリンタ/スキャナ装置を使用するたびに使用料金を支払う必要がなく、電話会社に対して通話料金等と一緒に一括して支払うことができ、便利である。
【００２３】
本発明による第３の携帯端末装置は、電話機能を有するかまたは携帯電話機に接続可能な携帯端末装置であって、プリンタ機能およびスキャナ機能のうちの少なくともいずれか一方を有するプリンタ/スキャナ装置に接続されて情報交換を行うプリンタ/スキャナ装置接続手段と、通信情報を受信する通信情報受信手段と、受信した通信情報を保存する通信情報保存手段と、保存した通信情報の一覧を表示する通信情報一覧表示手段と、保存した通信情報から印刷する通信情報を選択可能な通信情報選択手段と、選択した通信情報の印刷時の印刷モードを設定する印刷モード設定手段と、選択した通信情報を印刷可能な形態に変換する通信情報変換手段と、プリンタ/スキャナ装置から入力した画像情報を受信する画像情報受信手段と、受信した画像情報を保存する画像情報保存手段と、保存した画像情報を通信情報として送信する通信情報送信手段と、接続されたプリンタ/スキャナ装置に対して印刷および画像読み取りの指示を行う指示手段と、指示手段からの指示による印刷および画像読み取り後の画像情報送信の完了後にプリンタ/スキャナ装置において作成されて転送されてきたプリンタ/スキャナ装置の使用に対する課金情報を電話会社へ転送する課金情報転送手段とを備えていることを特徴とするものである。
【００２４】
本発明の第３の携帯端末装置によれば、前記同様、受信した通信情報を紙等に印刷して、その内容を容易に確認することが可能になり、また、紙等に記録された画像情報を読み取って携帯端末装置から送信することが可能になる。
【００２６】
また、前記同様、携帯端末装置の使用者は、プリンタ/スキャナ装置を使用するたびに使用料金を支払う必要がなく、電話会社に対して通話料金等と一緒に一括して支払うことができ、便利である。
【００２７】
本発明による第１のプリンタ/スキャナシステムは、本発明の第１の携帯端末装置と、プリンタ機能およびスキャナ機能のうちの少なくともプリンタ機能を有し、前記携帯端末装置に接続可能なプリンタ/スキャナ装置とからなるプリンタ/スキャナシステムであって、前記プリンタ/スキャナ装置が、前記携帯端末装置に接続されて情報交換を行う携帯端末装置接続手段と、前記携帯端末装置内部に記憶された印刷用データを前記携帯端末装置接続手段を介して取得する機能を有する印刷用データ取得手段と、前記印刷用データ取得手段により取得した印刷用データを印刷する印刷手段と、用紙サイズ別印刷枚数をカウントする計数手段と、カウントした用紙サイズ別印刷枚数情報を含む印刷ログ情報を転送する印刷ログ情報転送手段とを備えていることを特徴とするものである。
【００２８】
携帯端末装置接続手段は、前記同様、ケーブルまたは無線によってプリンタ/スキャナ装置に接続される。
【００２９】
本発明による第１のプリンタ/スキャナシステムにおいて、印刷用データ取得手段により携帯端末接続手段を介して取得された印刷用データは、印刷手段により紙等に印刷される。また、印刷ログ情報転送手段により転送された印刷ログ情報に基づいて、プリンタ/スキャナ装置の使用料金が計算される。
【００３０】
したがって、本発明の第１のプリンタ/スキャナシステムによれば、携帯端末装置で受信された通信情報を紙等に印刷して、その内容を容易に確認することが可能になる。
また、印刷ログ情報転送手段により転送された印刷ログ情報に基づいて、プリンタ/スキャナ装置の使用料金が計算できるので、使用料金の支払いが簡便化される。
【００３１】
本発明の第１のプリンタ/スキャナシステムにおいて、たとえば、前記印刷ログ転送情報手段が、前記印刷ログ情報をネットワーク上の集計サーバに転送する。
【００３２】
この場合、集計サーバでは、転送されてきた印刷ログ情報に基づいて、プリンタ/スキャナ装置の使用料金を計算する。そして、使用料金を電話会社に転送する。あるいは、使用料金をプリンタ/スキャナ装置に転送する。前者の場合、電話会社は、転送された課金情報に基づいて、コンビニ等のプリンタ/スキャナ装置の所有者に対し、プリンタ/スキャナ装置の使用料金を支払い、携帯端末装置の使用者に対し、プリンタ/スキャナ装置の使用料金を通話料金等に加算して請求する。後者の場合は、転送された課金情報に基づいて、携帯端末装置の使用者は、その場で使用料金を支払う。
【００３３】
また、本発明の第１のプリンタ/スキャナシステムにおいて、たとえば、前記印刷ログ情報転送手段が、前記印刷ログ情報を前記携帯端末装置に転送する。
【００３４】
この場合、携帯端末装置は、転送された印刷ログ情報から得られた課金情報を電話会社に転送し、電話会社は、転送された課金情報に基づいて、コンビニ等のプリンタ/スキャナ装置の所有者に対し、プリンタ/スキャナ装置の使用料金を支払い、携帯端末装置の使用者に対し、プリンタ/スキャナ装置の使用料金を通話料金等に加算して請求する。
【００３５】
本発明による第２のプリンタ/スキャナシステムは、本発明の第２の携帯端末装置と、プリンタ機能およびスキャナ機能のうちの少なくともスキャナ機能を有し、前記携帯端末装置に接続可能なプリンタ/スキャナ装置とからなるプリンタ/スキャナシステムであって、前記プリンタ/スキャナ装置が、前記携帯端末装置に接続されて情報交換を行う携帯端末装置接続手段と、読み取った画像情報を前記携帯端末装置へ転送する画像情報転送手段と、用紙サイズ別読み取り枚数をカウントする計数手段と、カウントした用紙サイズ別枚数情報を含むスキャンログ情報を転送するスキャンログ情報転送手段とを備えていることを特徴とするものである。
【００３６】
本発明による第２のプリンタ/スキャナシステムにおいて、読み取られた画像情報は、画像情報転送手段により携帯端末装置接続手段を介して携帯端末装置に転送され、携帯端末装置によって送信される。
【００３７】
したがって、本発明の第２のプリンタ/スキャナシステムによれば、紙等に記録された画像情報を読み取って携帯端末装置から送信することが可能になる。
また、スキャンログ情報転送手段により転送されたスキャンログ情報に基づいて、プリンタ/スキャナ装置の使用料金が計算できるので、プリンタ/スキャナ装置の使用料金の支払いが簡便化される。
【００３８】
本発明の第２のプリンタ/スキャナシステムにおいて、たとえば、前記スキャンログ情報転送手段が、前記スキャンログ情報をネットワーク上の集計サーバに転送する。
【００３９】
また、本発明の第２のプリンタ/スキャナシステムにおいて、たとえば、前記スキャンログ情報転送手段が、前記スキャンログ情報を前記携帯端末装置に転送する。
【００４０】
本発明による第３のプリンタ/スキャナシステムは、本発明の第３の携帯端末装置と、プリンタ機能およびスキャナ機能を有し、前記携帯端末装置に接続可能なプリンタ/スキャナ装置とからなるプリンタ/スキャナシステムであって、前記プリンタ/スキャナ装置が、前記携帯端末装置に接続されて情報交換を行う携帯端末装置接続手段と、前記携帯端末装置内部に記憶された印刷用データを前記携帯端末装置接続手段を介して取得する機能を有する印刷用データ取得手段と、前記印刷用データ取得手段により取得した印刷用データを印刷する印刷手段と、用紙サイズ別印刷枚数をカウントする計数手段と、カウントした用紙サイズ別印刷枚数情報を含む印刷ログ情報を転送する印刷ログ情報転送手段と、読み取った画像情報を前記携帯端末装置へ転送する画像情報転送手段と、用紙サイズ別読み取り枚数をカウントする計数手段と、カウントした用紙サイズ別読み取り枚数情報を含むスキャンログ情報を転送するスキャンログ情報転送手段とを備えていることを特徴とするものである。
【００４１】
本発明の第３のプリンタ/スキャナシステムによれば、前記同様、携帯端末装置で受信した通信情報を紙等に印刷して、その内容を容易に確認することが可能になり、また、紙等に記録された画像情報を読み取って携帯端末装置から送信することが可能になる。
また、前記同様、プリンタ/スキャナ装置の使用料金の支払いが簡便化される。
【００４２】
本発明の第３のプリンタ/スキャナシステムにおいて、たとえば、前記印刷ログ情報転送手段およびスキャンログ情報転送手段が、それぞれ、印刷ログ情報およびスキャンログ情報をネットワーク上の集計サーバに転送する。
【００４３】
また、本発明の第３のプリンタ/スキャナシステムにおいて、たとえば、前記印刷ログ情報転送手段およびスキャンログ情報転送手段が、それぞれ、印刷ログ情報およびスキャンログ情報を前記携帯端末装置に転送する。
【００５０】
【発明の実施の形態】
以下、図面を参照して、本発明の実施形態について説明する。
【００５１】
図１は、プリンタ/スキャナシステムの第１実施形態の構成を概略的に示している。
【００５２】
図１に示すように、プリンタ/スキャナシステムは、プリンタ/スキャナ装置としてのＭＦＰ（多機能プリンタ）(1)と、これに接続可能な携帯電話機(2)とから構成されている。
【００５３】
プリンタ/スキャナ装置は、プリンタ機能とスキャナ機能の少なくともいずれか一方を有するものであり、適宜な場所に設置される。この例では、ＭＦＰ(1)は、プリンタ機能およびスキャナ機能を有し、コンビニに設置されている。また、ＭＦＰ(1)は、コンビニ内のレジスタ(3)に接続されている。
【００５４】
携帯電話機(2)は、ケーブルあるいは無線によってＭＦＰ(1)に接続され、ＭＦＰ(1)との間でデータ通信ができるものである。この例では、携帯電話機(2)は、赤外線データ通信方式の１つであるＩｒＤＡによりＭＦＰ(1)に無線接続される。また、携帯電話機(2)は、ＦＡＸ、添付ファイルを含む電子メール、Ｉ-ＦＡＸ等の少なくとも１つの通信手段による通信情報の受信、およびＦＡＸ、添付ファイルを含む電子メール，Ｉ-ＦＡＸ、ＦＴＰ等の少なくとも１つの通信手段による通信情報の送信が可能なものである。この例では、ＦＡＸ、添付ファイルを含む電子メール、Ｉ-ＦＡＸによる通信情報の送受信、およびＦＴＰによる通信情報の送信が可能である。
【００５５】
図２に、ＭＦＰ(1)および携帯電話機(2)の構成の１例が示されている。
【００５６】
ＭＦＰ(1)は、スキャナ(10)、スキャナ制御部(11)、プリンタ(12)、プリンタ制御部(13)、メモリ(14)、ＮＩＣ（Network Interface Card）(15)、携帯電話機Ｉ/Ｆ（インタフェース）(16)、制御部(17)および操作部(18)を備えている。ＭＦＰ(1)は、携帯電話機Ｉ/Ｆ(16)を介して携帯電話機(2)に無線接続される。制御部(17)は、ＭＦＰ(1)全体を制御するものである。操作部(18)には、プリンタ操作およびスキャナ操作のための操作ボタン、表示部等が設けられている。なお、ＮＩＣ(15)は、後述するようにＭＦＰ(1)をイーサネット等に接続するためのインタフェースである。
【００５７】
携帯電話機(2)は、無線回路(20)、モデム(21)、送受話部(22)、発音体(23)、バッテリ(24)、充電用接続部(25)、メモリ(26)、プリンタ/スキャナ装置Ｉ/Ｆ(27)、制御部(28)および操作部(29)を備えている。無線回路(20)を介して、通常の通話、通信情報の送信および受信が行われる。制御部(28)は、携帯電話機(2)全体を制御するものである。操作部(29)には、通話、通信情報の送受信、プリンタ操作およびスキャナ操作のための操作ボタン、表示部等が設けられている。
【００５８】
上記の携帯電話機(2)において、通信情報を受信すると、それがメモリ(26)に保存される。ＦＡＸ受信の場合は、ＦＡＸ信号認識時にＦＡＸ受信モードに切り替えて画像を受信し、ＴＩＦＦファイルとして保存する。添付ファイル無しの電子メール受信の場合は、メールサーバへのメール着信確認時に受信し、メールのヘッダおよび本文のキャラクタ情報を保存する。添付ファイル有りの電子メール受信の場合は、メールサーバへのメール着信確認時に受信し、メールのヘッダおよび本文のキャラクタ情報を保存するとともに、添付画像ファイルも保存する。ただし、対応ファイル形式以外の添付ファイルあるいは制限サイズを超える添付ファイルについては、メール本文のみを受信し、添付ファイルは破棄する。Ｉ-ＦＡＸ受信の場合は、メールサーバへのメール着信確認時に受信し、画像ファイル（ＴＩＦＦファイル）を保存する。
【００５９】
図３は、上記のように携帯電話機(2)で受信した通信情報をＭＦＰ(1)でプリントするときの携帯電話機(2)の操作部(29)における表示の内容を順に示している。次に、この図面を参照して、プリント時の携帯電話機(2)およびＭＦＰ(1)の動作について説明する。
【００６０】
プリントを行う場合、まず、携帯電話機(2)の操作部(29)を操作して、メモリ(26)に保存されている通信情報の一覧を表示させ、プリントしたい通信情報を選択する（図３(a)参照）。そして、携帯電話機(2)をＭＦＰ(1)とのＩｒＤＡによるデータ転送が可能な位置に位置させた状態で、図３(a)の画面の「プリント」に対応する操作ボタンを押す。これにより、ＭＦＰ(1)と携帯電話機(2)の接続が確立し、両者間で、接続確立時の情報交換が行われる。このとき、ＭＦＰ(1)から携帯電話機(2)に、ＭＦＰ名、印字密度、モノクロ/カラーの情報、用紙サイズと部数を含む印刷モード設定のための情報、コンビニの店名等が送られ、携帯電話機(2)からＭＦＰに、携帯電話機(2)の電話番号等が送られる。
【００６１】
ＭＦＰ(1)と携帯電話機(2)の接続が確立すると、レジスタ(3)の表示部にＭＦＰ(1)が使用中であることが表示されるとともに、携帯電話機(2)の操作部(29)にその旨が表示され（図３(b)参照）、使用するＭＦＰ(1)に関する情報が表示される（図３(c)参照）ので、これを確認し、図３(c)の画面の「確認」に対応する操作ボタンを押す。すると、印刷モード設定のための画面が表示される（図３(d)および(e)参照）ので、これを設定して、印刷を実行させる。まず、図３(d)のように、部数を設定するための画面が表示されるので、適当な操作ボタンを操作することによって部数を設定し、図３(d)の画面の「確認」に対応する操作ボタンを押して、確定する。すると、図３(e)のように、用紙サイズを設定するための画面が表示されるので、適当な操作ボタンを操作することによって用紙サイズを設定し、図３(e)の画面の「確認/実行」に対応する操作ボタンを押して、確定するとともに、印刷の実行を指示する。
【００６２】
これにより、印刷が開始され、携帯電話機(2)において、選択された通信情報が印刷用データに変換され、これが、ＭＦＰ(1)と携帯電話機(2)の間のデータ転送プロトコルに従い、携帯電話機(2)からＭＦＰ(1)に転送される。これが繰り返されることにより、携帯電話機(2)からＭＦＰ(1)に、順次印刷用データが転送され、ＭＦＰ(1)において、印刷用データのページ確定ごとに印刷が行われる。なお、印刷開始時および印刷中には、ＭＦＰ(1)から携帯電話機(2)に、ページデータ受信完了通知等が送られ、携帯電話機(2)からＭＦＰ(1)に、印刷部数、印刷用紙サイズ、ページデータ送信開始通知等が送られる。また、印刷の進行に合わせて、携帯電話機(2)の操作部(29)に、図３(f)および(g)のような画面が表示される。
【００６３】
ＭＦＰ(1)は、印刷中、用紙サイズ別印刷枚数をカウントしており、印刷が修了すると、用紙サイズ別印刷枚数を含む課金情報を作成して、課金情報を含む印刷完了通知を携帯電話機(2)に転送し、ＭＦＰ(1)と携帯電話機(2)の接続が解除される。そして、レジ(3)の表示部におけるＭＦＰ(1)使用中の表示が消されるとともに、携帯電話機(2)の操作部(29)に、印刷が完了して両者の接続が解除された旨が表示され（図３(h)参照）、続いて課金情報が表示される（図３(i)参照）ので、この画面の「確認」に対応する操作ボタンを押すと、課金情報が携帯電話機(2)から電話会社に転送され、その旨が操作部(29)に表示される（図３(j)参照）。課金情報の転送が修了すると、操作部(29)にその旨が表示され（図３(k)参照）、処理を修了する。電話会社は、転送された課金情報に基づいて、ＭＦＰ(1)の所有者に対し、ＭＦＰ(1)の使用料金を支払い、携帯電話機(2)の使用者に対し、ＭＦＰ(1)の使用料金を通話料金等に加算して請求する。
【００６４】
上記の携帯電話機(2)では、ＭＦＰ(1)で読み取った画像データをメモリ(26)に保存し、この画像データを通信情報として送信することができる。ＦＡＸ送信の場合は、送信先のＦＡＸ番号を指定し、メモリ(26)に保存した画像データを通常のＦＡＸ伝送方式により送信する。Ｉ-ＦＡＸ送信の場合は、送信先のメールアドレスを指定し、メモリ(26)に保存した画像データをＩ-ＦＡＸモードでインターネット経由で送信する。電子メール送信の場合は、送信先のメールアドレスを指定し、メモリ(26)に保存した画像データをメールに添付し、ＳＭＴＰ（Simple Mail Transfer Protocol）によりインターネット経由で送信する。ＦＴＰ送信の場合は、送信先のＦＴＰ先（マシン名あるいはＩＰアドレス）を指定し、メモリ(26)に保存した画像データをＦＴＰによりインターネット経由で送信する。なお、インターネット経由の送信の場合は、携帯電話のパケット通信網を利用する。
【００６５】
図４は、紙等に記録された画像データをＭＦＰ(1)で読み取って、携帯電話機(2)のメモリ(26)に保存する際、およびメモリ(26)に保存した画像データを送信する際の携帯電話機(2)の操作部(29)における画面表示を順に示している。次に、この図面を参照して、画像データ読み取り時および送信時のＭＦＰ(1)および携帯電話機(2)の動作について説明する。
【００６６】
読み取りを行う場合、まず、携帯電話機(2)をＭＦＰ(1)とのＩｒＤＡによるデータ転送が可能な位置に位置させた状態で、携帯電話機(2)の操作部(29)において、画像データ送信を選択する。これにより、ＭＦＰ(1)と携帯電話機(2)の接続が確立し、両者間で、接続確立時の情報交換が行われる。このとき、ＭＦＰ(1)から携帯電話機(2)に、ＭＦＰ名、読み取りモード設定のための情報、コンビニの店名等が送られ、携帯電話機(2)からＭＦＰに、携帯電話機(2)の電話番号等が送られる。
【００６７】
ＭＦＰ(1)と携帯電話機(2)の接続が確立すると、レジスタ(3)の表示部にＭＦＰ(1)が使用中であることが表示されるとともに、携帯電話機(2)の操作部(29)にその旨が表示され（図４(a)参照）、読み取りモード設定のための画面が表示される（図４(b)参照）ので、これを設定し、図４(b)の画面の「確認」に対応する操作ボタンを押して、確定する。
【００６８】
これにより、読み取りが開始され、ＭＦＰ(1)において、紙等に記録された画像データが読み込まれ、ページデータが順次携帯電話機(2)に転送されて、メモリ(26)に保存される。なお、読み取り開始時および読み取り中には、ＭＦＰ(1)から携帯電話機(2)に、ページデータ送信開始通知等が送られ、携帯電話機(2)からＭＦＰ(1)に、読み取りモードに関する情報、ページデータ受信完了通知等が送られる。また、読み取り中は、携帯電話機(2)の操作部(29)に、図４(c)のような画面が表示される。
【００６９】
ＭＦＰ(1)は、読み取り中、用紙サイズ別読み取り枚数をカウントしており、読み取りが修了すると、用紙サイズ別読み取り枚数を含む課金情報を作成して、課金情報を含む読み取り完了通知を携帯電話機(2)に転送し、ＭＦＰ(1)と携帯電話機(2)の接続が解除される。そして、携帯電話機(2)の操作部(29)に、読み取りが完了して両者の接続が解除された旨が表示され（図４(d)参照）、続いてデータ送信方式選択のための画面が表示される（図４(e)参照）ので、これを選択して、図４(e)の画面の「送信」に対応する操作ボタンを押す。すると、課金情報が表示される（図４(f)参照）ので、この画面の「確認」に対応する操作ボタンを押すと、選択された方式によるデータ送信が開始され、その旨が表示される（図４(g)参照）。データ送信が修了すると、課金情報が携帯電話機(2)から電話会社に転送され、その旨が操作部(29)に表示される（図４(h)参照）。課金情報の転送が修了すると、操作部(29)にその旨が表示され（図４(i)参照）、処理を修了する。電話会社は、転送された課金情報に基づいて、ＭＦＰ(1)の所有者に対し、ＭＦＰ(1)の使用料金を支払い、携帯電話機(2)の使用者に対し、ＭＦＰ(1)の使用料金を通話料金等に加算して請求する。
【００７０】
図５は、プリンタ/スキャナシステムの第２実施形態の構成を概略的に示している。
【００７１】
図５に示すように、プリンタ/スキャナシステムは、ＭＦＰ(1)と、これに接続可能な携帯電話機(2)とから構成されている。ＭＦＰ(1)および携帯電話機(2)は第１実施形態のものと同じである。ＭＦＰ(1)は、イーサネット等のＬＡＮ（Local Area Network）を介して集計サーバ(4)に接続されており、集計サーバ(4)には、ユーザＤＢ（データベース）(5)が備えられている。
【００７２】
図５のプリンタ/スキャナシステムにおいて、携帯電話機(2)で受信した通信情報をＭＦＰ(1)でプリントする場合、ＭＦＰ(1)は、印刷が修了すると、印刷要求した携帯電話機(2)の電話番号、用紙サイズ別印刷枚数情報等を含む印刷ログ情報を集計サーバ(4)に転送する。集計サーバ(4)では、転送された印刷ログ情報に基づいて、ＭＦＰ(1)の使用料金を計算し、ユーザＤＢ(5)の更新を行う。そして、使用料金を電話会社に転送する。あるいは、使用料金をＭＦＰ(1)に転送する。前者の場合、電話会社は、転送された課金情報に基づいて、ＭＦＰ(1)の所有者に対し、ＭＦＰ(1)の使用料金を支払い、携帯電話機(2)の使用者に対し、ＭＦＰ(1)の使用料金を通話料金等に加算して請求する。後者の場合は、転送された課金情報に基づいて、携帯電話機(2)の使用者は、その場で使用料金を支払う。他は、第１実施形態の場合と同様である。
【００７３】
図５のプリンタ/スキャナシステムにおいて、画像データをＭＦＰ(1)で読み取って携帯電話機(2)で送信する場合、ＭＦＰ(1)は、読み取りが修了すると、読み取り要求した携帯電話機(2)の電話番号、用紙サイズ別読み取り枚数情報等を含むスキャンログ情報を集計サーバ(4)に転送する。集計サーバ(4)では、転送されたスキャンログ情報に基づいて、ＭＦＰ(1)の使用料金を計算し、ユーザＤＢ(5)の更新を行う。後は、上記のプリントの場合と同様である。
【００７４】
プリンタ/スキャナシステム、ＭＦＰ(1)、携帯電話機(2)の構成等は、上記実施形態のものに限らず、適宜変更可能である。
【００７５】
上記実施形態では、携帯端末装置として、携帯電話機が使用されているが、ＰＤＡ等を使用することもできる。携帯電話機やＰＤＡ等の携帯端末装置は、通常、通信情報の受信と送信の両方ができるが、いずれか一方だけができるものであってもよい。また、プリンタ/スキャナ装置についても、プリンタ機能とスキャナ機能のいずれか一方のみを有するものを使用することができる。そして、少なくとも通信情報の受信機能を有する携帯端末装置と少なくともプリンタ機能を有するプリンタ/スキャナ装置を組み合わせることにより、あるいは少なくとも通信情報の送信機能を有する携帯端末装置と少なくともスキャナ機能を有するプリンタ/スキャナ装置を組み合わせることにより、プリンタ/スキャナシステムを構成することができる。
【図面の簡単な説明】
【図１】図１は、本発明の第１実施形態を示すプリンタ/スキャナシステムの概略構成図である。
【図２】図２は、図１のプリンタ/スキャナシステムにおけるＭＦＰおよび携帯電話機の構成の１例を示すブロック図である。
【図３】図３は、印刷時の携帯電話機の操作部における表示画面を順に示す説明図である。
【図４】図４は、読み取り時の携帯電話機の操作部における表示画面を順に示す説明図である。
【図５】図５は、本発明の第２実施形態を示すプリンタ/スキャナシステムの概略構成図である。
【符号の説明】
(1)               ＭＦＰ（多機能プリンタ）
(2)               携帯電話機
(4)               集計サーバ
(10)              スキャナ
(12)              プリンタ
(16)              携帯電話機Ｉ/Ｆ
(17)              制御部
(18)              操作部
(20)              無線回路
(21)              モデム
(26)              メモリ
(27)              プリンタ/スキャナ装置Ｉ/Ｆ
(28)              制御部
(29)              操作部
【図１】
0003728655.tif 000002
【図２】
0003728655.tif 000003
【図３】
0003728655.tif 000004
【図４】
0003728655.tif 000005
【図５】
0003728655.tif 000006